(57)【要約】      （修正有）【課題】ユーザーの快適度を向上させ、包装本体の開口密封性を向上させることができるメソセラピー用秘密包装を提供する。【解決手段】メソセラピー用秘密包装は、シリコーンスリーブ２、包装本体３およびプッシュロッド４を含み、シリコーンスリーブ２の一端にシリコーンプラグが固着され、シリコーンプラグは手持ち部、接続部と密封部を含み、手持ち部は密封部に固着され、接続部は密封部の側壁に固着され、接続部に引き上げ溝が設けられ、シリコーンスリーブ２の両端にそれぞれ第１開口と第２開口が設けられ、シリコーンプラグは接続部における引き上げ溝を介して第１開口に固着され、包装本体３の両端にそれぞれ第３開口と第４開口が設けられ、シリコーンスリーブ２は包装本体３の外側壁に嵌着され、密封部は第３開口と締まり嵌合され、プッシュロッド４は第４開口から包装本体３内に入れて包装本体３の内壁にスライド接続される。【選択図】図１
0003231287.tif 000002
【実用新案登録請求の範囲】
【請求項１】
メソセラピー用秘密包装であって、シリコーンスリーブ（２）、包装本体（３）およびプッシュロッド（４）を含み、前記シリコーンスリーブ（２）の一端にシリコーンプラグが固着され、
前記シリコーンプラグは手持ち部（２１）、接続部（２２）と密封部（２３）を含み、前記手持ち部（２１）は前記密封部（２３）に固着され、前記接続部（２２）は前記密封部（２３）の側壁に固着され、前記接続部（２２）に引き上げ溝（２４）が設けられ、
前記シリコーンスリーブ（２）の両端にそれぞれ第１開口（２１１）と第２開口（２５）が設けられ、前記シリコーンプラグは前記接続部（２２）における前記引き上げ溝（２４）を介して前記第１開口（２１１）に固着され、
前記包装本体（３）の両端にそれぞれ第３開口（３１）と第４開口（３２）が設けられ、
前記シリコーンスリーブ（２）は前記包装本体（３）の外側壁に嵌着され、前記密封部（２３）は前記第３開口（３１）と締まり嵌合され、前記プッシュロッド（４）は前記第４開口（３２）から前記包装本体（３）内に入れて前記包装本体（３）の内壁にスライド接続されることを特徴とするメソセラピー用秘密包装。
【請求項２】
前記秘密包装はケーシング（１）をさらに含み、前記ケーシング（１）は前記シリコーンスリーブ（２）の外壁に嵌着されることを特徴とする請求項１に記載のメソセラピー用秘密包装。
【請求項３】
前記秘密包装は蓋（５）をさらに含み、前記蓋（５）は前記第４開口（３２）に設けられ、前記蓋（５）は前記第４開口（３２）をカバーするために用いられることを特徴とする請求項２に記載のメソセラピー用秘密包装。
【請求項４】
前記プッシュロッド（４）の一端にプッシュロッドヘッド（４２）が設置され、前記プッシュロッドヘッド（４２）に突起した紋様（４３）が設けられ、前記プッシュロッド（４）は前記紋様（４３）によって前記包装本体（３）の内壁に締まり嵌合されることを特徴とする請求項１〜３のいずれか一項に記載のメソセラピー用秘密包装。
【請求項５】
前記プッシュロッド（４）の他端にプッシュボード（４１）が設置されることを特徴とする請求項４に記載のメソセラピー用秘密包装。
【考案の詳細な説明】
【技術分野】
【０００１】
本実用新案はメソセラピー関連装置の技術分野に関し、具体的にはメソセラピー用秘密包装に関する。
【背景技術】
【０００２】
従来のメソセラピー用秘密包装には包装本体の硬度は皮膚より遥かに高く、使用する時包装本体と皮膚が直接接触し、ユーザーの快適性が悪く、そして包装本体と密封包装本体の排液孔のハウジングをカバーするのはプラスチックであり、プラスチックが包装本体の排液孔を塞ぐ時、密封性が良くなく、包装本体内の液体と空気とを接触させて変質させやすいという欠点がある。
【考案の概要】
【考案が解決しようとする課題】
【０００３】
上記技術問題に対して、本実用新案はメソセラピー用秘密包装を提供することを目的とし、上記技術問題を解決するために、本実用新案は以下の技術的解決手段を採用して実現する。
【課題を解決するための手段】
【０００４】
メソセラピー用秘密包装であって、シリコーンスリーブ、包装本体およびプッシュロッドを含み、前記シリコーンスリーブの一端にシリコーンプラグが固着され、
前記シリコーンプラグは手持ち部、接続部と密封部を含み、前記手持ち部は前記密封部に固着され、前記接続部は前記密封部の側壁に固着され、前記接続部に引き上げ溝が設けられ、
前記シリコーンスリーブの両端にそれぞれ第１開口と第２開口が設けられ、前記シリコーンプラグは前記接続部における前記引き上げ溝を介して前記第１開口に固着され、
前記包装本体の両端にそれぞれ第３開口と第４開口が設けられ、
前記シリコーンスリーブは前記包装本体の外側壁に嵌着され、前記密封部は前記第３開口と締まり嵌合され、前記プッシュロッドは前記第４開口から前記包装本体内に入れて前記包装本体の内壁にスライド接続される。
【０００５】
好ましく、前記秘密包装は、ケーシングをさらに含み、前記ケーシングは前記シリコーンスリーブの外壁に嵌着される。
【０００６】
好ましく、前記秘密包装は蓋をさらに含み、前記蓋は前記第４開口に設けられ、前記蓋は前記第４開口をカバーするために用いられる。
【０００７】
好ましく、前記プッシュロッドの一端にプッシュロッドヘッドが設置され、前記プッシュロッドヘッドに突起した紋様が設けられ、前記プッシュロッドは前記紋様によって前記包装本体の内壁に締まり嵌合される。
【０００８】
好ましく、前記プッシュロッドの他端にプッシュボードが設置される。
【考案の効果】
【０００９】
シリコーンゴム材質の密封部により、包装本体上の第３開口への密封度を向上させ、手持ち部と引き上げ溝を設置することによって、ユーザーはより容易にシリコーンプラグを引きはがして、シリコーンプラグとシリコーンスリーブとを離脱させ、柔軟度が高いシリコーンスリーブの設置によって、皮膚と包装本体が接触する時の快適性を向上させ、ユーザー体験を向上させる。
【００１０】
図面を用いて、本実用新案をさらに詳細に説明するが、図面の実施例は、本実用新案に対する何らかの制限を構成せず、当業者であれば、創造的な労力をかけずに、以下の図面から他の図面を得ることもできる。
【図面の簡単な説明】
【００１１】
【図１】本実用新案の構成の概略図である。
【図２】本実用新案の分解図である。
【図３】本実用新案のケーシングの構成の概略図である。
【図４】本実用新案のシリコーンスリーブの構成の概略図である。
【図５】本実用新案の図４におけるＡ箇所の放大図。
【図６】本実用新案の図５の別の状態の構成の概略図である。
【図７】本実用新案の包装本体の構成の概略図である。
【図８】本実用新案のプッシュロッドの構成の概略図である。
【図９】本実用新案の蓋の構成の概略図である。
【考案を実施するための形態】
【００１２】
以下、本実用新案の実施例の図面に関連して、本実用新案の実施例における技術的解決手段を明確かつ詳細に説明するが、説明した実施例は本実用新案の一部の実施例に過ぎず、すべての実施例ではないことは明らかである。
【００１３】
本実用新案の実施例によれば、当業者は、創造的な労力をかけずに得られた他のすべての実施例は、本実用新案の保護範囲に属するものとする。
【００１４】
本出願の説明では、用語「垂直」、「上」、「下」、「水平」、などで示される方位または位置関係は、図面に基づく方位または位置関係であり、単に本実用新案を記載するためのものおよび記載を容易にするためのものにすぎず、係る装置又は素子が特定の方位を有したり、特定の方位で構成され、操作されなければならないと示しまたは暗示するものではないため、本実用新案への制限として理解することはできない。
【００１５】
また、用語「第１」、「第２」、「第３」、「第４」は説明するためのものにすぎず、相対的重要性を提示しまたは暗示すると理解すべきではない。
【００１６】
本実用新案の説明において、別途に明確な規定と制限がない限り、「設置」、「取り付ける」、「互いに接続する」、「接続する」、などの用語の意味は広義に理解されるべきであり、例えば、固定接続や、着脱可能な接続や、或いは一体的な接続でも可能であり、機械的な接続であってもよいし、電気的な接続であってもよいし、通信であってもよいし、直接接続であってもよいし、中間媒体によって間接的に接続されていてもよいし、２つの素子内部の連通または２つの素子の相互作用関係であってもよい。。
【００１７】
当業者であれば、本実用新案における上記用語の具体的な意味は、具体的な状況に応じて理解することができる。
【００１８】
図１から図９に示すように、メソセラピー用秘密包装であって、シリコーンスリーブ２、包装本体３およびプッシュロッド４を含み、前記シリコーンスリーブ２の一端にシリコーンプラグが固着され、
前記シリコーンプラグは手持ち部２１、接続部２２と密封部２３を含み、前記手持ち部２１は前記密封部２３に固着され、前記接続部２２は前記密封部２３の側壁に固着され、前記接続部２２に引き上げ溝２４が設けられ、
前記シリコーンスリーブ２の両端にそれぞれ第１開口２１１と第２開口２５が設けられ、前記シリコーンプラグは前記接続部２２における前記引き上げ溝２４を介して前記第１開口２１１に固着され、
前記包装本体３の両端にそれぞれ第３開口３１と第４開口３２が設けられ、
前記シリコーンスリーブ２は前記包装本体３の外側壁に嵌着され、前記密封部２３は前記第３開口３１と締まり嵌合され、前記プッシュロッド４は前記第４開口３２から前記包装本体３内に入れて前記包装本体３の内壁にスライド接続される。
【００１９】
実施過程として、メソセラピーを使用しようとする時、図６に示すように、手で手持ち部２１をつかんでシリコーンプラグをシリコーンスリーブ２から引き離し、密封部２３は第３開口３１に対する密封を解除し、引き上げ溝２４はシリコーンプラグをより容易にシリコーンスリーブ２から離脱させることができ、指でプッシュロッド４を押して包装本体３内の液体を第３開口３１から皮膚上に押し出し、包装本体３にシリコーンスリーブ２が嵌着されているので、シリコーンスリーブ２の柔軟度が高く、人体皮膚とシリコーンスリーブ２が接触し、快適性を大幅に向上させる。
【００２０】
本実用新案はシリコーンゴム材質の密封部２３により、包装本体３上の第３開口３１への密封度を向上させ、手持ち部２１と引き上げ溝２４を設置することによって、ユーザーはより容易にシリコーンプラグを引きはがして、シリコーンプラグとシリコーンスリーブ２とを離脱させ、柔軟度が高いシリコーンスリーブ２の設置によって、皮膚と包装本体が接触する時の快適性を向上させ、ユーザー体験を向上させる。
【００２１】
本実用新案による任意選択的な実施形態において、前記秘密包装はケーシング１をさらに含み、前記ケーシング１は前記シリコーンスリーブ２の外壁に嵌着され、前記秘密包装を使用することを必要としない時、ケーシング１は包装本体３を保護するために用いられ、秘密包装を使用することを必要とする時、ケーシング１を取り外し、ケーシング１を使用して包装本体３内に差し込んでプッシュロッド４を押して液体を押し出す。
【００２２】
本実用新案による任意選択的な実施形態において、前記秘密包装は蓋５をさらに含み、前記蓋５は前記第４開口３２に設けられ、前記蓋５は前記第４開口３２をカバーするために用いられる。
【００２３】
本実用新案による任意選択的な実施形態において、前記プッシュロッド４の一端にプッシュロッドヘッド４２が設置され、前記プッシュロッドヘッド４２に突起した紋様４３が設けられ、前記プッシュロッド４は前記紋様４３によって前記包装本体３の内壁に締まり嵌合される。
【００２４】
本実用新案による任意選択的な実施形態において、前記プッシュロッド４の他端にプッシュボード４１が設置される。
【００２５】
最後に説明しておきたいこととして、以上の実施例は単に本実用新案の技術的解決手段を説明するためのものにすぎず、本実用新案に対する保護範囲の制限ではなく、好ましい実施例を参照して本実用新案について詳細に説明したにもかかわらず、当業者であれば、本実用新案の技術的解決手段の実質と範囲から逸脱することなく、本実用新案の技術的解決手段への変更または同等物による置換が可能であると理解すべきである。
【符号の説明】
【００２６】
ケーシング１、シリコーンスリーブ２、手持ち部２１、第１開口２１１、接続部２２、密封部２３、引き上げ溝２４、包装本体３、第３開口３１、第４開口３２、プッシュロッド４、プッシュボード４１、プッシュロッドヘッド４２、紋様４３、蓋５。
【図１】
0003231287.tif 000003
【図２】
0003231287.tif 000004
【図３】
0003231287.tif 000005
【図４】
0003231287.tif 000006
【図５】
0003231287.tif 000007
【図６】
0003231287.tif 000008
【図７】
0003231287.tif 000009
【図８】
0003231287.tif 000010
【図９】
0003231287.tif 000011